(57)【要約】【課題】  ライナーの損傷が少なく、校正に要する手間が少なくて済み、殆どライナーの取り替えが必要ない弾動臼砲試験装置を提供する。【解決手段】  弾動臼砲試験装置において、臼砲内のライナーが、引張強さ（Ｎ／ｍｍ２）をＸ、金属材料の伸び（％）をＹで表した時に、下記の（１）〜（３）を満足する引張強さおよび伸びを有する金属材料で形成されていることを特徴とする。  （１）Ｘ≧７５０  （２）Ｙ≧１０  （３）Ｙ≦−０．０７Ｘ＋１４０【選択図】  図２
2005249459.tif 000002
【特許請求の範囲】
【請求項１】
弾動臼砲試験装置において、臼砲内のライナーが、引張強さ（Ｎ／ｍｍ２）をＸ、金属材料の伸び（％）をＹで表した時に、下記の（１）〜（３）を満足する引張強さおよび伸びを有する金属材料で形成されていることを特徴とする弾動臼砲試験装置。
（１）Ｘ≧７５０
（２）Ｙ≧１０
（３）Ｙ≦−０．０７Ｘ＋１４０
【請求項２】
弾動臼砲試験装置において、臼砲内のライナーが、引張強さ（Ｎ／ｍｍ２）をＸ、金属材料の伸び（％）をＹで表した時に、下記の（４）〜（６）を満足する引張強さおよび伸びを有する金属材料で形成されていることを特徴とする弾動臼砲試験装置。
（４）１５００≧Ｘ≧１０００
（５）４０≧Ｙ≧１５
（６）Ｙ≦−０．０７Ｘ＋１３０
【請求項３】
金属材料がＳＵＳ６３０（Ｈ１０２５）である請求項１または請求項２記載の弾動臼砲試験装置。
【発明の詳細な説明】
【技術分野】
【０００１】
本発明は、弾動臼砲試験装置に関する。詳しくはライナーの損傷が少ない弾動臼砲試験装置に関する。
【背景技術】
【０００２】
弾動臼砲試験装置は、臼砲内部に設けられた砲孔内に装着された試料の爆発により砲孔内に装着された弾丸（投射物）が前に飛び出し、その反動により臼砲本体が後ろに振れ、この振れの大きさによって試料の爆発威力を判定するためのものである。
臼砲は、一端が閉じられた鋼管内に砲孔を有するＳＵＳ３１６製のライナーが装着されており、他端の円錐形に開いたライナーの砲孔の出口には弾丸がおさめられている。臼砲はワイヤーで吊り下げられ、自由振動ができるようになっている。
【０００３】
ライナーの砲孔の奥に測定試料および起爆剤を挿入し、円錐形に開いたライナーの砲孔の出口に弾丸をおさめた後、爆発させて臼砲の振れ幅を測定する。
爆発を繰り返すうちに、爆発部分のライナーが損傷し、砲孔が拡大してくる。砲孔が拡大すると、その分爆発エネルギーが分散され、臼砲の振れ幅が小さくなり、結果として感度が低下してくる。これを校正するためには、標準物質による試験、空試験を数多く実施する必要があり、多くの費用と手間を要する。
一方、ライナーを分割しておき、損傷が大きくなったら、その部分を取り替えるようにしている（非特許文献１参照。）。
【非特許文献１】「反応性化学物質と火工品の安全」  株式会社大成出版社、１９８８年１１月２８日発行、第２３０〜２４２頁
【発明の開示】
【発明が解決しようとする課題】
【０００４】
本発明の目的は、ライナーの損傷が少なく、校正に要する手間が少なくて済み、殆どライナーの取り替えが必要ない弾動臼砲試験装置を提供することにある。
【課題を解決するための手段】
【０００５】
本発明者らはかかる課題を解決するために損傷の少ない臼砲のライナーについて鋭意検討した結果、ライナーを、引張強さおよび伸びが特定の範囲の金属材料で形成することによって、ライナーの損傷が少なくなり、校正に要する手間が少なくなり、殆どライナーの取り替えが必要ない弾動臼砲試験装置とすることを見出し、本発明を完成するに至った。
【０００６】
すなわち本発明は、弾動臼砲試験装置において、臼砲内のライナーが、引張強さ（Ｎ／ｍｍ２）をＸ、金属材料の伸び（％）をＹで表した時に、下記の（１）〜（３）を満足する引張強さおよび伸びを有する金属材料で形成されていることを特徴とする弾動臼砲試験装置である。
（１）Ｘ≧７５０
（２）Ｙ≧１０
（３）Ｙ≦−０．０７Ｘ＋１４０
【０００７】
また、弾動臼砲試験装置において、臼砲内のライナーが、引張強さ（Ｎ／ｍｍ２）をＸ、金属材料の伸び（％）をＹで表した時に、下記の（４）〜（６）を満足する引張強さおよび伸びを有する金属材料で形成されていることを特徴とする弾動臼砲試験装置である。
（４）１５００≧Ｘ≧１０００
（５）４０≧Ｙ≧１５
（６）Ｙ≦−０．０７Ｘ＋１３０
【０００８】
金属材料として具体的にはＳＵＳ６３０（Ｈ１０２５）が好ましく用いられる。
【発明の効果】
【０００９】
本発明によって、ライナーの損傷が少なく、校正に要する手間が少なくて済み、殆どライナーの取り替えが必要ない弾動臼砲試験装置が提供される。
【発明を実施するための最良の形態】
【００１０】
弾動臼砲試験装置の概要を図１に示す。臼砲１はケーブル４によって吊り下げられ、自由振動ができるようになっている。臼砲にはペン２が取り付けられ、臼砲の振れ幅が記録紙３に記録される。振れ幅は超音波距離計を用いて求めることも可能である。
【００１１】
図２は臼砲の断面模式図である。一端が閉じられた鋼管５の内部に砲孔を有するライナー６が装着されている。他端の円錐形に開いたライナーの砲孔の出口には弾丸９がおさめられている。この図では、ライナーは３分割されており、砲孔は中央部まで形成されている。ライナーの砲孔に測定試料７および起爆剤８が入れられた試料管が挿入されている。
詳しくは、ガラス製試料管に測定試料を入れ、起爆剤であるペンスリット（ＰＥＴＮ）を入れ、電気雷管を挿入したポリエチレン製の内筒を、試料管の試料中に差し込む。この試料管をライナーの砲孔の奥に挿入し、次に円錐形に開いたライナーの砲孔の出口に弾丸を装着する。試料管の外径は砲孔の口径に近く、試料管は砲孔に殆ど接した状態にある。
臼砲はピボット１０を介してワイヤーで吊り下げられ、雷管脚線を点火回路に結線し、点火する。臼砲の振れを記録し、評価する。
【００１２】
本発明では、ライナーを、引張強さ（Ｎ／ｍｍ２）をＸ、金属材料の伸び（％）をＹで表した時に、下記の（１）〜（３）を満足する引張強さおよび伸びを有する金属材料で形成する。
（１）Ｘ≧７５０
（２）Ｙ≧１０
（３）Ｙ≦−０．０７Ｘ＋１４０
好ましくは、ライナーを下記の（４）〜（６）を満足する引張強さおよび伸びを有する金属材料で形成する。
（４）１５００≧Ｘ≧９００
（５）５０≧Ｙ≧１５
（６）Ｙ≦−０．０７Ｘ＋１３０
【００１３】
この金属材料とすることにより、ライナーの損傷が少なくなり、校正に要する手間が少なくなり、殆どライナーの取り替えが必要なくなる。爆発部分のライナーだけこの金属材料にしても良いが、ライナー全部をこの金属材料にしても良い。
【００１４】
この金属材料として、具体的には、ＳＵＳ４３１、ＳＵＳ６３０（Ｈ９００）、ＳＵＳ６３０（Ｈ１０２５）、ＳＵＳ６３０（Ｈ１０７５）、ＳＵＳ６３０（Ｈ１１５０）、ＳＨＹ６８５、ＳＮＢ２１−１、ＳＮＢ２１−２、ＳＮＢ２１−３、ＳＮＢ２１−４およびＳＮＢ２１−５等が挙げられる。  ＳＵＳ４３１、ＳＵＳ６３０（Ｈ９００）、ＳＵＳ６３０（Ｈ１０２５）、ＳＵＳ６３０（Ｈ１０７５）およびＳＵＳ６３０（Ｈ１１５０）はＪＩＳ  Ｇ４３０３に規定されており、（Ｈ９００）等は熱処理記号を表す。ＳＨＹ６８５はＪＩＳ  Ｇ３１２８に、ＳＮＢ２１−１、ＳＮＢ２１−２、ＳＮＢ２１−３、ＳＮＢ２１−４およびＳＮＢ２１−５はＪＩＳ  Ｇ  ４１０８に規定されている。これら金属材料の引張強さおよび伸びの規格を表１に示す。なお、ＳＵＳ６３０（Ｈ１０７５）のＪＩＳ  Ｚ  ２２４１に基づいて測定した値は、引張強さが１１５０Ｎ／ｍｍ２、伸びが２３％である。
【００１５】
【表１】
2005249459.tif 000003
【００１６】
ライナーに使用する金属材料として、更にＡＳＭＥ  Section IIで規定されるＳＢ−４４６  Ｎ０６６２５、ＳＢ−３３５  Ｎ１０６６５、ＳＢ−５７４  Ｎ０６０２２や、三菱マテリアル（株）製のＫ−Ｍ（焼きなまし後、時効熱処理材）、ＨＡ No.１８８、ＨＡ No.２１４、ＭＡ７０６、ＭＡ７１８、ＭＡ７５０、ＭＡ９０Ｎ、ＭＡ４１ＲおよびＭＡ−ＷＡＳＰ等が挙げられる。これらの引張強さ、伸びの測定値を表２に示す。
【００１７】
【表２】
2005249459.tif 000004
【００１８】
従来、使用されているＳＵＳ３１６の規格値は、引張強さが５２０Ｎ／ｍｍ２以上、伸びが４０％以上で、実測値は、引張強さが６００Ｎ／ｍｍ２、伸びが５５％である。このように引張強さが小さく、伸びが大きい金属材料は、爆発部分のライナーが損傷し、砲孔が拡大し、その分臼砲の振れ幅が小さくなり、感度が低下する。
【００１９】
また、ＳＵＳ４４０Ｃの引張強さおよび伸びの実測値は１８００Ｎ／ｍｍ２、伸びが３％である。このよう引張強さが大きく、伸びが小さい金属材料は、数回の試験でライナーが破損してしまい、使用できなくなってしまう。
【実施例】
【００２０】
以下、実施例を示し、本発明を具体的に示すが、本発明は下記の実施例に制限されるものではない。
【００２１】
振れ幅を超音波距離計で測定する以外は、図１、図２に示す弾動臼砲試験装置を用いて、試験を行った。
爆発部分のライナーの金属材料として、ＳＵＳ３１６、ＳＵＳ４４０Ｃ、ＳＵＳ６３０（Ｈ１０７５）を使用した。このライナーは１０７ｍｍφ×１９５ｍｍの大きさで、２５ｍｍφ、２４．７ｍｍφの砲孔が形成されている。
起爆剤であるペンスリットを入れ、６号雷管を挿入したポリエチレン製の内筒を、測定試料を入れたガラス製試料管の試料中に差し込み、この試料管をライナーの砲孔の奥に挿入して試験を行った。試験後、ライナーの砲孔の孔径を測定した。結果を表２に示す。ＳＵＳ３１６は砲孔が拡大しているが、ＳＵＳ６３０（Ｈ１０７５）には変化が見られない。ＳＵＳ４４０Ｃは破損してしまった。
【００２２】
【表３】
2005249459.tif 000005
【図面の簡単な説明】
【００２３】
【図１】弾動臼砲試験装置の概要を示す図である。
【図２】臼砲の断面模式図である。
【符号の説明】
【００２４】
１  臼砲
２  ペン
３  記録紙
４  ワイヤー
５  鋼管
６  ライナー
７  試料
８  雷管
９  弾丸
10  ピボット
【図１】
2005249459.tif 000006
【図２】
2005249459.tif 000007